(57)【要約】【課題】送信側のファクシミリ装置において、受信側のファクシミリ装置において実際にどのような内容で印刷されるかを把握可能にする。【解決手段】複合機１は、画像読取部１１０と、画像メモリー１２０と、操作部４７と、ファクシミリ通信部１４０と、印刷設定情報管理部１０２と、ファクス送信画像生成部１９０とを備える。ファクス送信画像生成部１９０は、印刷設定情報管理部１０２に記憶されている送信相手先についての印刷設定情報の示す印刷条件に合わせて、画像メモリー１２０に記憶されているファクス送信候補画像を加工して、当該送信相手先へのファクシミリ通信の対象とされるファクス送信画像を生成する。【選択図】図１
2015222862.tif 000002
【特許請求の範囲】
【請求項１】
ファクシミリ通信の候補とされるデータを取得するデータ取得部と、
前記データ取得部により取得されたデータをファクス送信候補画像として記憶するファクス送信候補画像記憶部と、
前記ファクス送信候補画像を送信する相手先を示す送信相手先の入力を操作者から受け付ける送信相手先受付部と、
前記ファクス送信候補画像と、前記受け付けられた送信相手先としてのファクシミリ装置における印刷条件を示す印刷設定情報とを含むファクシミリ通信に必要な情報を、当該送信相手先としてのファクシミリ装置との間で送受信するファクシミリ通信部と、
前記ファクシミリ通信部が前記送信相手先から受信した前記印刷設定情報を記憶する印刷設定情報管理部と、
前記印刷設定情報管理部に記憶されている前記送信相手先についての印刷設定情報の示す印刷条件に合わせて前記ファクス送信候補画像を加工して、当該送信相手先へのファクス通信の対象とされるファクス送信画像を生成するファクス送信画像生成部と、を備えたファクシミリ装置。
【請求項２】
前記送信相手先受付部により受け付けられた送信相手先の前記印刷設定が前記印刷設定情報管理部に既に記憶されている場合には、前記ファクス送信画像生成部は、当該既に取得されている印刷設定を用いて、前記ファクス送信画像を生成する請求項１に記載のファクシミリ装置。
【請求項３】
表示部と、
画像を前記表示部に表示させる制御部とを更に備え、
前記ファクス送信画像生成部は、前記送信相手先に対応付けて前記印刷設定情報管理部に記憶されている印刷設定情報の示す印刷条件を用いて、前記ファクス送信候補画像記憶部に記憶されている当該送信相手先のファクス送信候補画像を加工してプレビュー画像を生成し、
前記制御部が前記生成されたプレビュー画像を前記表示部に表示させる請求項１又は請求項２に記載のファクシミリ装置。
【請求項４】
前記ファクス送信画像生成部は、
前記プレビュー画像の生成を行うプレビュー画像作成部と、
前記制御部が前記作成されたプレビュー画像を前記表示部に表示させてから、前記ファクス送信候補画像を加工する加工指示の入力を操作者から受け付ける加工指示受付部と、
前記受け付けられた加工指示に従って、前記ファクス送信候補画像を加工して、前記印刷条件に合わせた前記ファクス送信画像の生成を行う画像加工部とを備える請求項３に記載のファクシミリ装置。
【請求項５】
前記制御部は、前記送信相手先の印刷設定情報が、当該送信相手先としてのファクシミリ装置から他のコンピューターに転送する設定を示す場合には、前記印刷設定情報の示す印刷条件に合わせた前記ファクス送信画像の生成が不要である旨のメッセージを前記表示部に表示させる請求項４に記載のファクシミリ装置。
【請求項６】
前記画像加工部は、前記各頁の画像毎に前記加工指示受付部に受け付けられた前記加工指示に従って、当該各頁の画像毎に、前記ファクス送信画像を生成する請求項４又は請求項５に記載のファクシミリ装置。
【請求項７】
前記ファクシミリ通信部は、前記送信相手先の印刷設定が、当該送信相手先としてのファクシミリ装置に接続されたコンピューターに転送される設定を示す場合には、前記ファクス送信画像を、インチ系解像度を用いて送信する請求項１乃至請求項６のいずれかに記載のファクシミリ装置。
【請求項８】
プリンタードライバー部を更に備え、
前記プリンタードライバー部が、前記画像加工部として、前記ファクス送信画像生成の少なくとも一部を行う請求項１乃至請求項７のいずれかに記載のファクシミリ装置。
【請求項９】
他のファクシミリ装置との間でファクス送信に必要な情報を送受信するファクシミリ通信部と、
印刷条件を示す印刷設定情報を記憶する印刷設定情報管理部とを備え、
前記ファクシミリ通信部は、他のファクシミリ装置から前記印刷設定情報の送信依頼を受信した場合、前記印刷設定情報管理部に記憶されている前記印刷設定情報を、当該他のファクシミリ装置に送信するファクシミリ送信装置。
【請求項１０】
ファクシミリ通信を行う送信側ファクシミリ装置と受信側ファクシミリ装置とを備えるファクス通信システムであって、
前記送信側ファクシミリ装置は、
ファクシミリ通信の候補とされるデータを取得するデータ取得部と、
前記データ取得部により取得されたデータをファクス送信候補画像として記憶するファクス送信候補画像記憶部と、
前記ファクス送信候補画像を送信する相手先を示す送信相手先の入力を操作者から受け付ける送信相手先受付部と、
前記ファクス送信候補画像と、前記受け付けられた送信相手先としての前記受信側ファクシミリ装置における印刷条件を示す印刷設定情報とを含むファクシミリ通信に必要な情報を、当該送信相手先としての前記受信側ファクシミリ装置との間で送受信するファクシミリ通信部と、
前記ファクシミリ通信部が前記送信相手先から受信した前記印刷設定情報を記憶する印刷設定情報管理部と、
前記印刷設定情報管理部に記憶されている前記送信相手先についての印刷設定情報の示す印刷条件に合わせて前記ファクス送信候補画像を加工して、当該送信相手先へのファクシミリ通信の対象とされるファクス送信画像を生成するファクス送信画像生成部と、を備え、
前記受信側ファクシミリ装置は、
前記送信側ファクシミリ装置との間でファクス送信に必要な情報を送受信するファクシミリ通信部と、
印刷条件を示す印刷設定情報を記憶する印刷設定情報管理部とを備え、
前記ファクシミリ通信部は、前記送信側ファクシミリ装置から前記印刷設定情報の送信依頼を受信した場合、前記印刷設定情報管理部に記憶されている前記印刷設定情報を、当該送信側ファクシミリ装置に送信するファクス通信システム。
【発明の詳細な説明】
【技術分野】
【０００１】
本発明は、ファクシミリ装置及びファクス通信システムに関し、特に、送信相手先となるファクシミリ装置での印刷条件に合わせて、ファクス送信対象とする画像を加工する技術に関する。
【背景技術】
【０００２】
ファクシミリ装置においては、送信相手先（受信側）となるファクシミリ装置の印刷条件に合わせて、ファクス送信対象とする画像の加工を可能にする技術が提案されている。例えば、下記特許文献１には、受信側となるファクシミリ装置から記録紙の情報を入手可能なファクシミリ装置が示されている。また、特許文献２には、印刷装置において、印刷時の設定に従ったプレビュー画像を生成して表示させる技術が示されている。さらに、特許文献３には、送信側のファクシミリ装置において、受信側となるファクシミリ装置についての印刷設定情報を取得し、当該送信側のファクシミリ装置から受信側のファクシミリ装置の印刷方法を指定して受信側に通知することで、受信側のファクシミリ装置にプレビュー通りの印刷をさせる技術が示されている。
【先行技術文献】
【特許文献】
【０００３】
【特許文献１】特開２０１２−２３５２０６号公報
【特許文献２】特開２００４−１０２６１４号公報
【特許文献３】特開２００８−２１９８１１号公報
【発明の概要】
【発明が解決しようとする課題】
【０００４】
上記特許文献１に示されるファクシミリ装置は、受信側から記録紙の情報を入手するが、送信側から受信側で使用する記録紙サイズや印刷倍率を指定するものであるため、実際に受信側で印刷する際にどのような状態になるかの詳細を把握できない。また、上記特許文献２に示される技術は、上記のプレビュー表示は印刷装置で行われるため、この印刷装置に対して画像を送信したユーザーは、当該印刷装置の傍にいなければ当該プレビュー表示を確認できない。上記特許文献３に記載の発明は、送信側のファクシミリ装置から受信側のファクシミリ装置の印刷方法を指定して受信側に印刷を行わせるものであるため、送信側から指定した設定に受信側が対応できず、受信側で対応可能な形式に加工されてしまう場合には、受信側で実際にどのような内容で印刷されるかを把握することができない。
【０００５】
本発明は、上記の問題を解決するためになされたもので、送信側のファクシミリ装置において、受信側のファクシミリ装置において実際にどのような内容で印刷されるかを把握可能にすることを目的とする。
【課題を解決するための手段】
【０００６】
本発明の一局面に係るファクシミリ装置は、ファクシミリ通信の候補とされるデータを取得するデータ取得部と、
前記データ取得部により取得されたデータをファクス送信候補画像として記憶するファクス送信候補画像記憶部と、
前記ファクス送信候補画像を送信する相手先を示す送信相手先の入力を操作者から受け付ける送信相手先受付部と、
前記ファクス送信候補画像と、前記受け付けられた送信相手先としてのファクシミリ装置における印刷条件を示す印刷設定情報とを含むファクシミリ通信に必要な情報を、当該送信相手先としてのファクシミリ装置との間で送受信するファクシミリ通信部と、
前記ファクシミリ通信部が前記送信相手先から受信した前記印刷設定情報を記憶する印刷設定情報管理部と、
前記印刷設定情報管理部に記憶されている前記送信相手先についての印刷設定情報の示す印刷条件に合わせて前記ファクス送信候補画像を加工して、当該送信相手先へのファクシミリ通信の対象とされるファクス送信画像を生成するファクス送信画像生成部と、を備えたものである。
【０００７】
本発明では、印刷設定情報管理部に、送信相手先としてのファクシミリ装置から、ファクシミリ通信部により取得された当該送信相手先の印刷設定情報が記憶され、ファクス送信画像生成部が、当該印刷設定情報の示す印刷条件に合わせて上記ファクス送信候補画像を加工して、当該送信相手先へのファクシミリ通信の対象とするファクス送信画像を生成するので、送信側のファクシミリ装置において、送信相手先としての受信側のファクシミリ装置の印刷条件に適合したファクス画像を生成した上で送信可能である。このため、送信相手先のファクシミリ装置に、上記ファクス画像を送信側で想定した通りに印刷させることが可能になる。
【０００８】
また、本発明の更なる一局面に係るファクシミリ装置は、他のファクシミリ装置との間でファクス送信に必要な情報を送受信するファクシミリ通信部と、
印刷条件を示す印刷設定情報を記憶する印刷設定情報管理部とを備え、
前記ファクシミリ通信部は、他のファクシミリ装置から前記印刷設定情報の送信依頼を受信した場合、前記印刷設定情報管理部に記憶されている前記印刷設定情報を、当該他のファクシミリ装置に送信するものである。
【０００９】
また、本発明の一局面に係るファクス通信システムは、ファクシミリ通信を行う送信側ファクシミリ装置と受信側ファクシミリ装置とを備えるファクス通信システムであって、
前記送信側ファクシミリ装置は、
ファクシミリ通信の候補とされるデータを取得するデータ取得部と、
前記データ取得部により取得されたデータをファクス送信候補画像として記憶するファクス送信候補画像記憶部と、
前記ファクス送信候補画像を送信する相手先を示す送信相手先の入力を操作者から受け付ける送信相手先受付部と、
前記ファクス送信候補画像と、前記受け付けられた送信相手先としての前記受信側ファクシミリ装置における印刷条件を示す印刷設定情報とを含むファクシミリ通信に必要な情報を、当該送信相手先としての前記受信側ファクシミリ装置との間で送受信するファクシミリ通信部と、
前記ファクシミリ通信部が前記送信相手先から受信した前記印刷設定情報を記憶する印刷設定情報管理部と、
前記印刷設定情報管理部に記憶されている前記送信相手先についての印刷設定情報の示す印刷条件に合わせて前記ファクス送信候補画像を加工して、当該送信相手先へのファクシミリ通信の対象とされるファクス送信画像を生成するファクス送信画像生成部と、を備え、
前記受信側ファクシミリ装置は、
前記送信側ファクシミリ装置との間でファクス送信に必要な情報を送受信するファクシミリ通信部と、
印刷条件を示す印刷設定情報を記憶する印刷設定情報管理部とを備え、
前記ファクシミリ通信部は、前記送信側ファクシミリ装置から前記印刷設定情報の送信依頼を受信した場合、前記印刷設定情報管理部に記憶されている前記印刷設定情報を、当該送信側ファクシミリ装置に送信するものである。
【発明の効果】
【００１０】
本発明に係るファクシミリ装置によれば、送信側のファクシミリ装置において、受信側のファクシミリ装置において実際にどのような内容で印刷されるかを把握することが可能になる。
【図面の簡単な説明】
【００１１】
【図１】本発明の実施形態に係るファクシミリ装置としての複合機の内部構成の概略を示すブロック図である。
【図２】複合機とファクス送信の相手先となるファクシミリ装置とのファクス通信処理を示す図である。
【図３】複合機が送信相手先から印刷設定情報を取得するためのファクス通信処理を示すフローチャートである。
【図４】複合機が送信側ファクシミリ装置として上記取得した印刷設定情報に基づいて行うファクス送信処理の第１実施形態を示すフローチャートである。
【図５】（Ａ）は、複合機で読み取られたＡ３サイズの原稿画像の画像領域と、受信側のファクシミリ装置で印刷される際の画像領域の違いを示す図、（Ｂ）は複合機で読み取られた１１×１７インチサイズの原稿画像の画像領域と、受信側のファクシミリ装置で印刷される際の画像領域の違いを示す図である。
【図６】複合機が送信側ファクシミリ装置として上記取得した印刷設定情報に基づいて行うファクス送信処理の第２実施形態を示すフローチャートである。
【図７】複合機が送信側ファクシミリ装置として上記取得した印刷設定情報に基づいてファクス送信を行う処理の第３実施形態を示すフローチャートである。
【図８】第１乃至第３実施形態に係るファクス送信処理において実行されるファクス送信画像を送信する処理の他の実施形態を示すフローチャートである。
【図９】ＩＴＵ−Ｔ勧告のＴ．３０に基づいたＤＣＳ信号のＢＩＴを規定した例を示す図である。
【図１０】複合機が送信相手先から印刷設定情報を取得するためのファクス通信処理の他の実施形態を示すフローチャートである。
【発明を実施するための形態】
【００１２】
以下、本発明の実施形態に係るファクシミリ装置及びファクス通信システムについて図面を参照して説明する。図１は、本発明の実施形態に係るファクシミリ装置としての複合機の内部構成の概略を示すブロック図である。
【００１３】
本発明の実施形態に係る複合機１は、制御ユニット１００と、画像読取部１１０と、画像メモリー１２０と、画像形成部１３０と、操作部４７と、ファクシミリ通信部１４０とを有する。
【００１４】
画像読取部（データ取得部の一例）１１０は、原稿を読み取って原稿画像を取得するスキャナー等を備える。画像読取部１１０は、例えば原稿載置台上の原稿や、搬送されてくる原稿の画像を読み取るスキャナー、及び読取済の原稿を排出する排出機構を有するＡＤＦ（Ａｕｔｏ  Ｄｏｃｕｍｅｎｔ  Ｆｅｅｄｅｒ）である。画像読取部１１０は、ファクス送信の対象とされる原稿を１枚ずつ読み取ることで、ファクス送信の対象とするデータとして、各頁の原稿のデータ（原稿画像）をその頁情報と共に頁単位で取得する。
【００１５】
画像メモリー（ファクス送信候補画像記憶部の一例）１２０は、画像読取部１１０によって読み取られた原稿のデータ、ファクシミリ通信部１４０又は通信インターフェイス１６０により取得されたファクス送信の対象となるデータ等、画像形成部１３０の印刷対象となるデータを一時的に保存する領域である。
【００１６】
画像形成部１３０は、画像読取部１１０によって読み取られた原稿のデータや、ファクシミリ通信部１４０により公衆回線を通じて他のファクシミリ装置から受信されたデータ等であって、画像メモリー１２０に記憶されているデータを読み出し、当該データを用いて画像形成（印刷）を行う。
【００１７】
操作部（送信相手先受付部の一例）４７は、操作者からの各種操作指示の入力を受け付ける。操作部４７は、送信相手先受付部として、ファクス送信対象とするデータ（ファクス送信画像）の送信相手先を示す情報の入力を操作者から受け付ける。
【００１８】
ファクシミリ通信部１４０は、ファクシミリ通信に必要な諸機能を実行し、公衆回線を通じて外部のファクシミリ装置との間で画像データを送受信する。例えば、制御部１０１は、ファクス送信用に画像読取部１１０により読み取られて画像メモリー１２０に一時的に記憶されている各頁の原稿のデータを頁順に読み出して、ファクシミリ通信部１４０に、ユーザーによる操作部４７の操作で指定された相手先のファクシミリ装置に向けてファクス送信させる。
【００１９】
さらに、ファクシミリ通信部１４０は、操作部４７により受け付けられた送信相手先としての受信側ファクシミリ装置における印刷条件を示す印刷設定情報を含み、ファクシミリ通信に必要な情報を、当該送信相手先となる受信側ファクシミリ装置との間で送受信する。
【００２０】
さらに、複合機１は、画像読取部１１０が読み取った画像の編集及び加工処理等を行う画像処理部１９を有している。
【００２１】
画像処理部１９は、後述する印刷設定情報管理部１０２に記憶されている、送信相手先としての受信側ファクシミリ装置の印刷設定情報が示す印刷条件に合わせて、画像メモリー１２０に記憶されているファクス送信候補画像のデータを加工して、当該送信相手先へのファクシミリ通信の対象とされるファクス送信画像と、プレビュー画像とを生成する。
【００２２】
画像処理部１９は、ファクス送信画像生成部１９０として、プレビュー画像作成部１９１と、加工指示受付部１９２と、画像加工部１９３とを備える。
【００２３】
プレビュー画像作成部１９１は、操作部４７に受け付けられた送信相手先に対応付けて印刷設定情報管理部１０２に記憶されている印刷設定情報の示す印刷条件を用いて、画像メモリー１２０に記憶されているデータに基づいたプレビュー画像を生成する。
【００２４】
加工指示受付部１９２は、プレビュー画像を表示部１５０に表示させているときに、画像メモリー１２０に記憶されているファクス送信画像としてのデータを加工する加工指示の入力を操作者から操作部４７を介して受け付ける。
【００２５】
画像加工部１９３は、加工指示受付部１９２により受け付けられた加工指示の内容に従って、画像メモリー１２０に記憶されているファクス送信画像としての前記データを加工して、印刷設定情報管理部１０２に記憶されている前記印刷条件に合わせた上記ファクス送信画像の生成を行う。
【００２６】
また、複合機１は、ネットワーク接続された他のパーソナルコンピューターやサーバーとの間で各種データの通信を行うための通信インターフェイス１６０とを有している。
【００２７】
制御ユニット１００は、ＣＰＵ、ＲＯＭ及びＲＡＭ等からなり、複合機１の全体的な動作を司る。制御ユニット１００は、制御部１０１及び印刷設定情報管理部１０２を備えている。なお、ＨＤＤ１７０又は図略のＲＯＭに複合機１のファクス通信プログラムが記憶されており、制御ユニット１００は、当該ファクス通信プログラムに従って動作することにより、本実施形態で下記に示すファクシミリ通信の実行に必要な動作を制御部１０１及び印刷設定情報管理部１０２として行う。なお、当該ファクス通信プログラムによらず、制御ユニット１００が、ハード回路としての制御部１０１及び印刷設定情報管理部１０２を備えるようにしてもよい。
【００２８】
制御部１０１は、複合機１の全体的な動作を司る。また、制御部１０１は、後述するファクシミリ通信に関する処理を実行する。
【００２９】
印刷設定情報管理部１０２は、複合機１がファクス送信画像を送信する側の送信側ファクシミリ装置となる場合には、操作部４７により受け付けられた送信相手先としての受信側ファクシミリ装置から、ファクシミリ通信部１４０が取得した当該送信相手先の上記印刷設定情報を記憶する。印刷設定情報管理部１０２は、当該送信相手先から送られてくる後述の信号に印刷設定情報が含まれているかを判断し、印刷設定情報が含まれている場合には、内蔵のメモリー等に記憶しておく。
【００３０】
また、印刷設定情報管理部１０２は、複合機１について設定されている印刷条件を示す印刷設定情報も記憶している。
【００３１】
なお、複合機１は、ファクス画像を送信する送信側ファクシミリ装置としても、ファクス画像を他のファクシミリ装置から受信する受信側ファクシミリ装置のいずれとしても機能することが可能である。但し、送信側又は受信側のいずれかのみとして機能する複合機１も本発明の一実施形態となり得る。
【００３２】
次に、複合機１とファクス送信の相手先となるファクシミリ装置とのファクス通信処理を説明する。図２は、複合機１とファクス送信の相手先となるファクシミリ装置とのファクス通信処理を示す図である。
【００３３】
送信側としての複合機１はそのファクシミリ通信部１４０が（以下、当該ファクス通信処理の説明において単に複合機１という）、ユーザーによる操作部４７の操作で入力されるファクス送信指示（すなわち、ファクス送信ジョブ）に基づくダイヤリングにより発呼し、ＣＮＧ信号を送信して、相手先のファクシミリ装置に対して、複合機１がファクシミリ通信を行うファクシミリ装置であることを通知する（♯１）。
【００３４】
相手先のファクシミリ装置はそのファクシミリ通信部が（以下、当該ファクス通信処理の説明において単に相手先ファクシミリ装置という）が、受信側として上記ＣＮＧ信号を受信すると、当該相手先ファクシミリ装置はこれに対する応答信号としてのＣＥＤ信号と、自身が有するオプション機能を表す非標準機能識別信号としてのＮＳＦ信号と、受信側の装置機能（ＣＣＩＴＴ仕様等）を知らせるＤＩＳ信号とを複合機１に送り返す（♯２）。例えば、ＮＳＦ信号は、固有の標準方式ではない特殊ファシリティを通知するために当該ファクシミリ装置で用いられるＴ．３０プロトコルによるメッセージ信号である。
【００３５】
ＣＥＤ信号、ＮＳＦ信号及びＤＩＳ信号を相手先ファクシミリ装置から受信した複合機１（発呼側）は、当該複合機１のセットアップデータ（ＣＣＩＴＴ仕様等）を知らせるＤＣＳ信号と、ＮＳＦ信号に応答する非標準機能識別信号としてのＮＳＳ信号と、モデムトレーニング用のＴＣＦ信号とを、相手先ファクシミリ装置に対して送出する（♯３）。すなわち、相手先のファクシミリ装置からＮＳＦ信号により特殊ファシリティが通知されているため、自身が当該特殊ファシリティに対応する機能を有している場合には、対応可能である旨を、当該発呼側のファクシミリ装置から相手先のファクシミリ装置に対してＮＳＳ信号により通知する。本実施形態では、当該ＮＳＦ信号及びＮＳＳ信号に、受信側のファクシミリ装置の印刷条件に応じたファクス送信画像の送信処理（後述）に必要な情報が付加されて通信される。
【００３６】
上記ＤＣＳ信号、ＮＳＳ信号及びＴＣＦ信号を受信した相手先ファクシミリ装置は、受信成功を示すＣＦＲ信号を複合機１に返信する（♯４）。
【００３７】
送信側としての複合機１が当該ＣＦＲ信号を受信すると、当該ファクス送信ジョブでファクス送信対象とする第１頁目のデータ（ＰＩＸ）を、相手先ファクシミリ装置に対して送信する（♯５）。さらに、複合機１は、ファクス送信の対象とする他頁のデータが存在する場合は、他頁のデータが存在することを示すＭＰＳ信号を相手先ファクシミリ装置に送信する。
【００３８】
受信側としての相手先ファクシミリ装置では、受信した第１頁目のデータ（ＰＩＸ）を画像メモリーに一時的に記憶させる。そして、相手先ファクシミリ装置は、第１頁目のデータを正しく受信したことを示すＭＣＦ信号を複合機１に対して返信する（♯６）。
【００３９】
複合機１は、相手先ファクシミリ装置からＭＣＦ信号を受信すると、ファクス送信の対象とする次頁のデータがある限り次頁のデータ（ＰＩＸ）及びＭＰＳ信号を相手先ファクシミリ装置に送信する。この場合、相手先ファクシミリ装置では、受信した頁のデータ（ＰＩＸ）を画像メモリーに一時的に記憶させてＭＣＦ信号を複合機１に返信する♯６の処理を繰り返す。以降、複合機１がファクス送信の対象とする全頁のデータを相手先ファクシミリ装置に送信完了するまで、♯５及び♯６の処理が繰り返される。
【００４０】
そして、複合機１が、ファクス送信の対象とする最終頁のデータ（ＰＩＸ）を相手先ファクシミリ装置に送信したときは、データ送信を終了することを示すＥＯＰ信号を相手先ファクシミリ装置に送信する（♯７）。相手先ファクシミリ装置は、上記最終頁のデータを受信したことを示すＭＣＦ信号を複合機１に返信する（♯８）。
【００４１】
複合機１は、ＥＯＰ信号を送信した後に、相手先ファクシミリ装置から上記ＭＣＦ信号を受信すると、相手先ファクシミリ装置にＤＣＮ信号を送信して回線を遮断する（♯９）。
【００４２】
次に、複合機１が送信側ファクシミリ装置となる場合における、送信相手先から印刷設定情報を取得するためのファクス通信処理を説明する。図３は、複合機１が送信相手先から印刷設定情報を取得するためのファクス通信処理を示すフローチャートである。
【００４３】
例えば、操作者が操作部４７を操作して送信相手先としての受信側ファクシミリ装置を指定して、当該送信相手先から印刷設定情報を取得した上でファクス送信を行う旨の指示の入力が受け付けられると（Ｓ１でＹＥＳ）、制御部１０１は、画像読取部１１０に、当該画像読取部１１０に備えられる原稿自動読取機構の原稿載置台（図略）に載置されている原稿を読み取らせる（Ｓ２）。
【００４４】
このとき、制御部１０１は、画像読取部１１０による読取動作で取得された原稿画像を、ファクス送信の候補画像（以下、ファクス送信候補画像）として画像メモリー１２０に記憶させる（Ｓ３）。
【００４５】
続いて、制御部１０１による制御の下、ファクシミリ通信部１４０は、上記送信相手先である受信側ファクシミリ装置に対して発呼し、ＣＮＧ信号を送信する（Ｓ４）。
【００４６】
受信側ファクシミリ装置は、送信側としての上記複合機１からの発呼を受けると（Ｓ１０１でＹＥＳ）、この発呼に応答して、ＣＥＤ信号、ＤＩＳ信号、及びＮＳＦ信号を当該複合機１に対して返信する（Ｓ１０２）。
【００４７】
このとき、受信側ファクシミリ装置は、ＮＳＦ信号に、自身が複合機１の対応機であることを示す情報と共に、受信側ファクシミリ装置における印刷条件を示す印刷設定情報を自身の印刷設定情報記憶部から読み出し、当該読み出した印刷設定情報を含ませて、当該ＮＳＦ信号を複合機１に送信する。この印刷条件とは、例えば、受信側ファクシミリ装置において、(1)印刷に用いることが可能な記録紙サイズ、(2)各記録紙サイズでの印刷可能領域（余白領域設定と解してもよい）、(3)受信したファクス画像をパーソナルコンピューター又は他のファクシミリ装置に転送するか否かを示す設定、等である。但し、これらはあくまでも一例であり、印刷条件を当該事項に限定する趣旨ではない。
【００４８】
送信側である複合機１のファクシミリ通信部１４０は、当該ＣＥＤ信号、ＤＩＳ信号、及びＮＳＦ信号を受信する（Ｓ５）。
【００４９】
この受信時において、複合機１の印刷設定情報管理部１０２は、当該ＮＳＦ信号に、受信側ファクシミリ装置からの印刷設定情報が含まれているか否かを判断し、印刷設定情報が含まれている場合には、Ｓ１で送信相手先として受け付けられた受信側のファクシミリ装置についての印刷設定情報として当該印刷設定情報を記憶する（Ｓ６）。
【００５０】
複合機１の制御部１０１は、ファクシミリ通信部１４０に、上記ＮＳＦ信号に応答してのＤＣＳ信号、更にＮＳＳ信号及びＴＣＦ信号を、受信側ファクシミリ装置に対して送信する（Ｓ７）。このとき、ファクシミリ通信部１４０は、ＮＳＳ信号に、自身が受信側ファクシミリ装置の対応機であることを示す情報を含ませた上で、当該ＮＳＳ信号を受信側ファクシミリ装置に送信する。この後、ファクシミリ通信部１４０はＤＣＮ信号を転送側ファクシミリ装置に対して送信し（Ｓ８）、当該通信を終了させる。
【００５１】
以上のファクス通信処理により、送信側としての複合機１に、受信側ファクシミリ装置の印刷設定情報が蓄積される。
【００５２】
次に、複合機１が送信側ファクシミリ装置として、上記取得した印刷設定情報に基づいて行うファクス送信処理の第１実施形態を説明する。図４は、複合機１が送信側ファクシミリ装置として上記取得した印刷設定情報に基づいて行うファクス送信処理の第１実施形態を示すフローチャートである。
【００５３】
図３に示したファクス通信処理の後、複合機１では、プレビュー画像作成部１９１が、印刷設定情報管理部１０２に記憶されている上記送信相手先のファクシミリ装置の印刷設定情報を解析して、当該印刷設定情報から、印刷条件としての上記(1)印刷に用いることが可能とされている記録紙サイズ、(2)各記録紙サイズでの印刷可能領域、(3)他装置への転送設定、等を読み出す（Ｓ１１）。
【００５４】
そして、プレビュー画像作成部１９１は、当該解析した印刷条件に従って、上記画像メモリー１２０に当該送信相手先に対応付けて記憶されているファクス送信候補画像を加工して、当該送信相手先で印刷される画像を示すプレビュー画像を生成する（Ｓ１２）。
【００５５】
例えば、図５（Ａ）に示すように、ファクス送信の対象とする原稿として図３に示した処理のＳ２で読み取られた原稿画像がＡ３サイズ（幅３０４ｍｍ）である場合であって、送信相手先の印刷条件としてＡ３サイズの記録紙に印刷可、当該Ａ３サイズの記録紙に印刷可能な印刷領域が幅２９７ｍｍである場合、複合機１から当該原稿画像を送信しても、受信側のファクシミリ装置においては、当該幅方向において両方の側部が３．５ｍｍずつカットされて印刷される。このため、プレビュー画像作成部１９１は、画像メモリー１２０に記憶されている上記３０４ｍｍ幅の候補画像の両側を３．５ｍｍずつカットした画像をプレビュー画像として生成する。
【００５６】
また、例えば、図５（Ｂ）に示すように、ファクス送信の対象とする原稿画像がＡ３サイズ（幅３０４ｍｍ）である場合であって、送信相手先の印刷条件として１１×１７インチサイズの記録紙に印刷可、当該１１×１７インチサイズの記録紙に印刷可能な印刷領域が幅２７４ｍｍである場合、複合機１から当該原稿画像を送信したとき、受信側のファクシミリ装置においては、当該幅方向において両方の側部が１５ｍｍずつカットされて印刷される。このため、プレビュー画像作成部１９１は、画像メモリー１２０に記憶されている上記３０４ｍｍ幅の候補画像の両側を１５ｍｍずつカットした画像をプレビュー画像として生成する。
【００５７】
Ｓ１２の処理後、制御部１０１は、当該生成されたプレビュー画像を表示部１５０に表示させる（Ｓ１３）。このプレビュー表示により、操作者は、複合機１から送信する原稿画像が、送信相手先の受信側ファクシミリ装置においてどのように印刷されるかを把握することが可能になる。
【００５８】
このプレビュー表示中に、操作者による操作部４７の操作に基づいて、この時点で画像メモリー１２０に記憶されているファクス送信候補画像を加工する旨の加工指示が入力され、加工指示受付部１９２が当該加工指示を受け付けると（Ｓ１４でＹＥＳ）、画像加工部１９３が、当該加工指示の示す内容に従って、当該候補画像を加工する（Ｓ１５）。プレビュー画像作成部１９１は、当該加工後のファクス送信候補画像からプレビュー画像を生成し、制御部１０１は、当該プレビュー画像を表示部１５０に表示させる（Ｓ１６）。すなわち、実際に送信の対象とするために加工された後の画像のプレビューが表示される。
【００５９】
例えば、操作者は、当該表示されるプレビュー画像を見て、受信側のファクシミリ装置では、元のＡ３サイズの原稿画像の幅方向における両側部が３．５ｍｍカットされ、元の原稿画像がそのまま印刷されないことを認識すると、操作部４７を操作して、当該ファクス送信候補画像が両側部でそれぞれ３．５ｍｍカットされた後の狭い領域の中に収まる大きさに縮小処理を実行する旨の加工指示を入力することが可能になる。これにより、操作者は、候補画像の両側がカットされないように加工した上で、候補画像をファクス送信画像として、送信相手先としての受信側ファクシミリ装置に送信することができる。
【００６０】
なお、複合機１にインストールされているプリンタードライバーが画像加工部１９３として機能し、上記画像加工処理を行うものとしてもよい。この場合は、単に画像を縮小又は拡大等する処理を行うのでなく、例えば文字画像を加工する場合には、プリンタードライバーが有するフォント等を用いて画像を縮小又は拡大等する処理が可能なので、画像品質の高いファクス送信画像を送信相手先に送信することができる。
【００６１】
この後、操作者による操作部４７の操作で、画像メモリー１２０に記憶されているファクス送信の候補画像を、上記加工後の画像に置き換えて更新する旨の更新指示が入力されると（Ｓ１７でＹＥＳ）、制御部１０１は、画像メモリー１２０に記憶されているファクス送信候補画像を、上記加工後の画像に置き換えて更新する（Ｓ１８）。この更新後に、操作者による操作部４７の操作で、読み取られた原稿画像を上記図３の処理におけるＳ１で指定された送信相手先に送信する旨のファクス送信指示が入力されると（Ｓ１９でＹＥＳ）、制御部１０１は、ファクシミリ通信部１４０に、上記更新後のファクス送信画像を画像メモリー１２０から読み出して、当該更新後のファクス送信画像を当該相手先に送信する（Ｓ２０）。
【００６２】
一方、Ｓ１４において、加工指示受付部１９２が上記加工指示を受け付けない場合は（Ｓ１４でＮＯ）、処理はＳ１８に移り、操作者からのファクス送信指示があれば（Ｓ１９でＹＥＳ）、加工処理がされていない元のファクス送信候補画像を、ファクシミリ通信部１４０が送信相手先のファクシミリ装置に送信する。
【００６３】
なお、Ｓ１９において、上記ファクス送信指示が操作者から入力されない場合は（Ｓ１９でＮＯ）、当該相手先にファクス送信を行うことなく処理を終了する。
【００６４】
また、Ｓ１７において、操作者から上記更新指示が入力されない場合は（Ｓ１７でＮＯ）、操作者から、ファクス送信候補画像についての更なる加工を行う旨の指示である再加工指示が入力されたときは（Ｓ２１でＹＥＳ）、処理はＳ１４に戻り、操作者の加工指示に基づく加工処理が再度行われる（Ｓ１４以降）。なお、操作者から当該再加工指示が入力されないときは（Ｓ２１でＮＯ）、処理はＳ１９に移行する。
【００６５】
これにより、複合機１の操作者は、送信側ファクシミリ装置である当該複合機１において、送信相手先の受信側ファクシミリ装置の印刷条件に適合したファクス画像を生成してから送信可能である。このため、送信相手先としての受信側ファクシミリ装置に、上記画像読取部１１０でファクス送信の候補として読み取られた原稿画像を送信したときに、送信側において想定した通りに印刷させることが可能になる。
【００６６】
従って、本発明の一実施形態に係る複合機１によれば、送信側のファクシミリ装置において、送信した原稿画像が、受信側のファクシミリ装置において実際にどのような内容で印刷されるかを把握することが可能になる。
【００６７】
次に、複合機１が送信側ファクシミリ装置として、上記取得した印刷設定情報に基づいて行うファクス送信処理の第２実施形態を説明する。図６は、複合機１が送信側ファクシミリ装置として上記取得した印刷設定情報に基づいて行うファクス送信処理の第２実施形態を示すフローチャートである。なお、第１実施形態と同様の処理は説明を省略する。
【００６８】
第２実施形態では、プレビュー画像作成部１９１による印刷設定情報の解析により（Ｓ３１）、送信相手先の受信側ファクシミリ装置における印刷条件として、受信したファクス画像をパーソナルコンピューターや別のファクシミリ装置等の他の装置に転送する設定が読み出された場合に（Ｓ３２でＹＥＳ）、制御部１０１が、表示部１５０に、送信相手先としての受信側ファクシミリ装置の印刷条件に合わせるための上述した加工処理が不要であることを示すメッセージを表示させる（Ｓ３３）。以降は、図４に示した第１実施形態のＳ１２以降と同様の処理が行われる（図６におけるＳ３５〜Ｓ４４）。
【００６９】
この第２実施形態によれば、受信側のファクシミリ装置では複合機１から送信したファクス送信画像の印刷がされず、受信側ファクシミリ装置から転送された他の装置で印刷又は表示のみされるときは、複合機１において、受信側ファクシミリ装置の印刷条件に合わせて画像加工を行っても意味がないことを、上記メッセージ表示により、操作者に対して認識させることができる。これにより、操作者は、無駄な操作や画像処理の実行を避けることができる。
【００７０】
次に、複合機１が送信側ファクシミリ装置として上記取得した印刷設定情報に基づいてファクス送信を行う処理の第３実施形態を説明する。図７は、複合機１が送信側ファクシミリ装置として上記取得した印刷設定情報に基づいてファクス送信を行う処理の第３実施形態を示すフローチャートである。なお、第１又は第２実施形態と同様の処理は説明を省略する。
【００７１】
第３実施形態では、操作者からプレビュー画像の表示指示が入力されたとき（Ｓ５４でＹＥＳ）、プレビュー画像作成部１９１は、送信相手先としての受信側ファクシミリ装置から受信した印刷設定情報の示す印刷条件に従って、プレビュー画像を、画像メモリー１２０に記憶されているファクス送信の候補画像の頁毎に生成する（Ｓ５５）。制御部１０１は、当該生成された各頁のプレビュー画像を表示部１５０に表示させる（Ｓ５６）。
【００７２】
そして、加工指示受付部１９２は、操作者による操作部４７の操作に基づいて、上記候補画像の頁別に上記加工指示を受け付ける（Ｓ５７）。すなわち、加工指示受付部１９２は、上記候補画像のいずれの頁の画像を加工するかを指定した加工指示を受け付ける。
【００７３】
ここで、操作者から、頁を指定した上での加工指示が入力された場合は（Ｓ５７でＹＥＳ）、当該加工指示の示す内容に従って、指定された頁の候補画像について、上記プレビュー画像を加工する（Ｓ５８）。この加工後の候補画像のプレビュー画像が表示された後（Ｓ５９）、操作者から更新指示がなく（Ｓ６０でＹＥＳ）、更に別の頁を指定して再度の加工指示（再加工指示）が操作者から入力された場合は（Ｓ６４でＹＥＳ）、処理はＳ５７に戻る。
【００７４】
ファクス送信候補画像の示す内容は、頁ごとに異なり、例えば、ある頁では、Ａ３サイズ記録紙の画像領域における中心部にしか画像がない場合、上記のように、通信相手先としての受信側ファクシミリ装置において両側部の画像がカットされる場合であっても、操作者が印刷させたい画像は結果的には欠けることなく印刷され得るが、その一方、別の頁では、Ａ３サイズ記録紙の画像領域における上記幅方向側端部まで画像が形成されている場合は、当該画像は、受信側ファクシミリ装置において両側部の画像がカットされて欠落して印刷される。このような場合であっても、この第３実施形態によれば、ファクス送信候補画像の頁毎に上記加工が可能であるため、受信側ファクシミリ装置において画像が欠落して印刷されるおそれのある頁のみについて上記加工を行い、他の頁は行わない、というようにして、加工が必要な頁に対してのみ加工を行うことにより、加工のための操作量を削減することが可能である。
【００７５】
次に、上記第１乃至第３実施形態に係るファクス送信処理において実行されるファクス送信画像を送信する処理の他の実施形態を説明する。図８は第１乃至第３実施形態に係るファクス送信処理において実行されるファクス送信画像を送信する処理の他の実施形態を示すフローチャートである。
【００７６】
上記第１乃至第３実施形態に係るファクス送信処理において、ファクス送信画像（上記加工後のファクス送信画像、又は加工なしのファクス）のファクス送信が送信相手先としての受信側ファクシミリ装置に対して行われるとき（Ｓ７１；図４のＳ２０，図６のＳ４３，図７のＳ６３に相当）、制御部１０１は、プレビュー画像作成部１９１により解析された印刷条件が、受信側ファクシミリ装置においてパーソナルコンピューター（ＰＣ）に転送する設定となっているかを判断する（Ｓ７２）。
【００７７】
ここで、受信側ファクシミリ装置における印刷条件がパーソナルコンピューターに転送する設定となっている場合は（Ｓ７２でＹＥＳ）、ファクシミリ通信部１４０は、ファクス送信の対象とするファクス送信画像の解像度を、インチ系解像度に設定する（Ｓ７３）。
【００７８】
また、制御部１０１が、受信側ファクシミリ装置における印刷条件がパーソナルコンピューター以外の装置、例えば別のファクシミリ装置に転送する設定となっている場合は（Ｓ７２でＮＯ）、ファクシミリ通信部１４０は、ファクス送信の対象とするファクス送信画像の解像度を、ミリ系解像度に設定する（Ｓ７５）。
【００７９】
当該転送設定に応じた解像度種別の設定後、ファクシミリ通信部１４０は、上記更新後のファクス送信画像を送信相手先に送信する（Ｓ７４）。
【００８０】
図９に例を示すように、ファクシミリ通信部１４０では、ＩＴＵ−Ｔ勧告のＴ．３０に基づき、下記のようにＤＩＳ信号、ＤＣＳ信号のＢＩＴを規定し、ファクス送信画像を送信する際の解像度をミリ系とインチ系から選択可能としている。例えば、ビット番号４４＝解像度タイプ選択、ビット番号４５，４６＝任意、ビット番号４７＝０に固定、ビット番号４８＝拡張フィールドとして、各ビット番号にそれぞれの項目が設定されている場合、ファクシミリ通信部１４０は、ＤＣＳ信号を送出する際に、図９に示すＢＩＴ４４を０にすることでミリ系の解像度、１にすることでインチ系の解像度で送信することが可能とされる。ファクシミリ通信部１４０は、ファクス送信画像を受信側ファクシミリ装置に対して送信するときに、上記ＤＣＳ信号に従った解像度でファクス送信画像を送信する。
【００８１】
上記のように、受信側ファクシミリ装置における転送先がパーソナルコンピューターであるときにインチ系解像度を用い、それ以外の場合にミリ系解像度を用いることで、ファクス送信画像の印刷、表示、又は画像処理を行う装置において、印刷に用いられる解像度でファクス送信画像を送信することができる。
【００８２】
なお、本発明は上記実施の形態の構成に限られず種々の変形が可能である。例えば、複合機１が送信相手先から印刷設定情報を取得するために図３に示したファクス通信処理を行うとき、図１０に示すように、制御部１０１が、操作者により操作部４７に入力された送信相手先の印刷設定が印刷設定情報管理部１０２に既に記憶されているか否かを判断し（Ｓ８４）、当該送信相手先の印刷設定が印刷設定情報管理部１０２に既に記憶されていると判断した場合には（Ｓ８４でＹＥＳ）、印刷設定情報を取得するための当該送信相手先へのファクシミリ通信は行わない。
【００８３】
一方、制御部１０１が、操作者により操作部４７に入力された送信相手先の印刷設定が印刷設定情報管理部１０２に未だ記憶されていないと判断した場合は（Ｓ８４でＮＯ）、印刷設定情報を取得するための当該送信相手先へのファクシミリ通信を行う（Ｓ８５〜Ｓ８８）。
【００８４】
これにより、既に印刷設定情報が取得済みの送信相手先に対して、印刷設定情報を取得するファクス送信処理を行うという無駄な処理をなくすことができる。
【００８５】
また、図１乃至図１０を用いて上記各実施形態に示した構成及び処理は、本発明の一実施形態に過ぎず、本発明の構成及び処理はこれに限定されるものではない。
【符号の説明】
【００８６】
１      複合機
４７    操作部
１００  制御ユニット
１０１  制御部
１０２  印刷設定情報管理部
１１０  画像読取部
１２０  画像メモリー
１３０  画像形成部
１４０  ファクシミリ通信部
１５０  表示部
１９    画像処理部
１９０  ファクス送信画像生成部
１９１  プレビュー画像作成部
１９２  加工指示受付部
１９３  画像加工部
【図１】
2015222862.tif 000003
【図２】
2015222862.tif 000004
【図３】
2015222862.tif 000005
【図４】
2015222862.tif 000006
【図５】
2015222862.tif 000007
【図６】
2015222862.tif 000008
【図７】
2015222862.tif 000009
【図８】
2015222862.tif 000010
【図９】
2015222862.tif 000011
【図１０】
2015222862.tif 000012